(57)【要約】【課題】  マヨネーズ等の流動物が充填される容器において、内容物が減少した後であっても、容易に内容物を出せるとともに、普段にあっては他方のキャップが邪魔にならず、直立させた状態であっても安定性を維持する。【解決手段】  本発明は、流動物の容器であって、流動物が充填される容器本体１と、容器本体１の上部先端において上部キャップ２が嵌合される上部開口部３と、容器本体１を直立させた状態においてほぼ水平となる底面４と、底面４において埋め込み及び引き出し可能であり、下部キャップ５が嵌合される下部開口部６とを有し、下部キャップ５は下部開口部６とともに、底面４に埋め込み及び引き出し可能となっている。【選択図】  図１
2006176142.tif 000002
【特許請求の範囲】
【請求項１】
流動物の容器であって、
前記流動物が充填される容器本体と、
前記容器本体の上部先端において上部キャップが嵌合される上部開口部と、
前記容器本体を直立させた状態においてほぼ水平となる底面と、
前記底面において埋め込み及び引き出し可能であり、下部キャップが嵌合される下部開口部と
を有し、前記下部キャップは前記下部開口部とともに、前記底面に埋め込み及び引き出し可能である
ことを特徴とする流動物容器。
【請求項２】
前記下部開口部は、
前記下部キャップの内方に嵌合される内部中空の筒状体と、
前記筒状体と前記底面に形成された底面開口部とを連結する連結部材とからなり、
前記連結部材は、前記下部キャップが嵌合された前記筒状体が前記容器本体内に埋め込まれた状態において、該容器本体内方から該筒状体を覆うことができるように、前記底面を形成する材質よりも可撓性及び伸縮性のある材質によって形成されている
ことを特徴とする請求項１に記載の流動物容器。
【請求項３】
前記筒状体の前記底面開口部位置において、該底面開口部を塞ぐ内蓋を備え、
前記内蓋は、引き剥がし可能なプルタブを有する
ことを特徴とする請求項２に記載の流動物容器。
【請求項４】
前記上部開口部の流通孔の形状又は大きさが、前記下部開口部の流通孔と異なることを特徴とする請求項１に記載の流動物容器。
【発明の詳細な説明】
【技術分野】
【０００１】
本発明は、マヨネーズやケチャップ等の食品、のりや接着剤等の文房具のほか、化粧品等の流動物が充填される流動物容器に関する。
【背景技術】
【０００２】
従来より、マヨネーズ等の流動物を充填する容器では、流動物が使用されて減少するにつれ、流動物が容器下方に溜まり、上部の開口部から出しにくくなるという問題があった。この場合、従来では、容器を逆さまにして流動物が開口部付近まで下がってくるのを待つ必要があり不便であった。
【０００３】
このような問題を解決する技術として、特許文献１や特許文献２に開示されたものがある。これらの特許文献に開示された技術は、容器の上下に開口部を設け、内容物が減少した際には、下方の開口部から流動物を出すというものである。
【特許文献１】登録実用新案公報第３０４１３５４号
【特許文献２】登録実用新案公報第３０４６２５３号
【発明の開示】
【発明が解決しようとする課題】
【０００４】
しかしながら、上述した特許文献１に開示された容器では、キャップ等が取付けられる開口部を容器の上下に設けるものであるため、容器を直立させて冷蔵庫などに仕舞うときに、容器の安定性が悪くなるという問題があった。
【０００５】
これについて特許文献２に開示された容器では、上下のキャップを、容器を直立させるための台座となるような形状としているが、台座するためにキャップが大型化し、一方の開口部を使用する際に、他方のキャップが邪魔になるうえ、直立させた際の安定性が低下するという惧れがある。
【０００６】
また、幼児などがいる家庭では、ケチャップやクリームなどで食品に絵や文字を描いて調理の装飾を行う場合も多く、このような場合には、流動物の流出形態を多様化したいという要請もある。
【０００７】
そこで、本発明は、上記課題を解決するためになされたものであり、マヨネーズ等の流動物が充填される容器において、内容物が減少した後であっても、容易に内容物を出せるとともに、普段にあっては他方のキャップが邪魔にならず、直立させた状態であっても安定性を維持することができ、さらには、流動物の流出形態の多様化を実現できる流動物容器を提供することを、その目的とする。
【課題を解決するための手段】
【０００８】
上記課題を解決するために、本発明は、流動物の容器であって、流動物が充填される容器本体と、容器本体の上部先端において上部キャップが嵌合される上部開口部と、容器本体を直立させた状態においてほぼ水平となる底面と、底面において埋め込み及び引き出し可能であり、下部キャップが嵌合される下部開口部とを有し、下部キャップは下部開口部とともに、底面に埋め込み及び引き出し可能であることを特徴とする。
【０００９】
なお、上記発明において、下部開口部は、下部キャップの内方に嵌合される内部中空の筒状体と、筒状体と底面に形成された底面開口部とを連結する連結部材とからなり、連結部材は、下部キャップが嵌合された筒状体が容器本体内に埋め込まれた状態において、容器本体内方から筒状体を覆うことができるように、底面を形成する材質よりも可撓性及び伸縮性のある材質によって形成されていることが好ましい。
【００１０】
また、上記発明において、筒状体の底面開口部位置において、底面開口部を塞ぐ内蓋を備え、内蓋は、引き剥がし可能なプルタブを有することが好ましい。また、前記上部開口部の流通孔の形状又は大きさが、前記下部開口部の流通孔と異なることが好ましい。
【発明の効果】
【００１１】
以上説明したように本発明によれば、マヨネーズ等の流動物が充填される容器において、下方の開口部を埋め込み及び引き出し可能とすることによって、内容物が減少した後であっても、下方の開口部から容易に内容物が出せるとともに、普段にあっては他方のキャップを底面に埋め込むことによって、使用の際に邪魔となるのを防止し、直立させた状態であっても安定性を維持することができる。
【００１２】
また、上部開口部と下部開口部の形状や大きさを異なるものとし、内容物の残量にかかわらず上下を使用することにより、例えば、上部開口部と下部開口部とで流出される流動物の断面形状を変化させたり、上部を少なめの出し口とし、下部を多めの出し口とするなど、上下の開口部を使い分けることによって多様な流動物の利用形態を実現することができる。
【発明を実施するための最良の形態】
【００１３】
（流動体容器の構成）
本発明の実施形態について、図面を参照しつつ説明する。図１は、本実施形態に係る流動物容器であって、下部キャップを埋め込んで直立させた状態を示す外観図であり、図２は、その下部キャップを引き出した状態を示す外観図である。
【００１４】
図１及び図２に示すように、流動物容器１０は、マヨネーズ等の流動物が充填される容器本体１と、容器本体１の上部先端において上部キャップ２が嵌合される上部開口部３と、底面４において埋め込み及び引き出し可能であり、下部キャップ５が嵌合される下部開口部６とを有している。
【００１５】
容器本体１は、低密度ポリエチレン(LDPE)や、PE（ポリエチレン）、EVOH（エバール：エチレンビニルアルコール）等を積層して形成された透明なイチジク型のチューブ状であり、上部に内容物を吐出させる上部開口部３を備えるとともに、この容器本体１を直立させた状態においてほぼ水平となる底面４を備えている。
【００１６】
上部キャップ２及び下部キャップ５は、PE（ポリエチレン）製の蓋体であり、その内方には、開口部３又は６の側面に形成されたねじと螺合するねじが刻設されている。
【００１７】
上部開口部３は、容器本体１と一体形成された筒状の吐出口であり、その外表面には上部キャップ２が螺合されるねじが刻設されている。下部開口部６は、本実施形態では、図３に示すように、下部キャップ５の内方に嵌合される内部中空の筒状体６ａと、底面４に形成された底面開口部４ａとこの筒状体６ａとを連結する連結部材７とから構成されている。なお、筒状体６ａにおいても、その外表面に下部キャップ５が螺合されるねじ６ｂが刻設されている。
【００１８】
連結部材７は、図４に示すように、下部キャップ５が嵌合された筒状体６ａが容器本体１内に埋め込まれた状態において、容器本体１内方から筒状体６ａを覆う部材である。この連結部材は、底面４を形成する材質よりも可撓性及び伸縮性のある材質、例えばポリプロピレン、軟質塩化ビニル樹脂、ポリスチレンによって形成されている。
【００１９】
また、本実施形態における下部開口部６には、図１に示すように、筒状体６ａの底面開口部４ａ位置において、底面開口部４ａを塞ぐ内蓋８が取付けられている。この内蓋８は、図５に示すように、円盤状の内蓋基部８ｃにおいて引き剥がし可能なプルタブ８ｂと、このプルタブ８ｂを内蓋基部８ｃから引き剥がすためのプルリング８ａとを有している。プルリング８ａを引っ張ってプルタブ８ｂを内蓋基部８ｃから引き剥がすことにより、図１に示すような流通孔６ｃが形成される。
【００２０】
なお、上述した内蓋基部８ｃに形成された流通孔６ｃの形状や大きさは、上部開口部３と下部開口部６とで異なる様にしてもよい。例えば、図６に示すように、流通孔６ｃの直径を上部開口部のものよりも小さくしたり、図７及び図８に示すように、流通孔６ｃの形状を星形や波形としてもよい。
【００２１】
さらに内蓋基部８ｃとしては、図９（ａ）〜（ｃ）に示すように、回転可能なツマミ８１によって、複数種の流通孔８３ａ〜８３ｃを選択するよう回転式内蓋８０としてもよい。詳しくは、回転式内蓋８０は、複数種（星形、波形、細孔など）の流通孔８３ａ〜８３ｃが穿設された円盤状の基部８３と、この基部８３と同形状の円盤であって、上下に通じる扇状の開口部８２ａを有し、基部８３に対して軸８４により回転可能に軸支された回転部８２により構成される。
【００２２】
ツマミ８１は、回転部８２の上面に対して垂直に且つ一体的に立設されており、このツマミ８１を回すことにより、回転部８２が基部８３に対して相対的に回転する。また、扇状の開口部８２ａは、回転部８２を回転させることによって、流通孔８３ａ〜８３ｃのいずれかに対して選択的に合致され、選択された流通孔から流動物を流出させる。なお、基部８３上の流通孔が設けられていない部分（閉止部８３ｄ）に、開口部８２ａを合致させると、全ての流通孔が塞がれ、流動物の流出を止めることができる。
【００２３】
このような回転式内蓋８０を採用すれば、下部開口部から流動物を流出させる際に、種々の流出形態を任意に選択することが可能となり、より利便性を向上させることができる。
【００２４】
（流動体容器の作用・効果）
以上説明したように本実施形態の流動体容器では、下部キャップ５は下部開口部６とともに、底面４に埋め込み及び引き出し可能となっている。
【００２５】
すなわち、図１に示すように、容器本体１内の流動物が多く充填されている状態では、下部開口部６及び下部キャップ５を底面４に埋め込んでおき、上部開口部３を使用する。この状態にあっては、下部開口部６や下部キャップ５が底面４内に埋め込まれ、連結部材７が伸張して容器本体１内方から、下部キャップ５が螺合された状態の筒状体６ａを覆うようになっている。このように、下部キャップ５が埋め込まれた状態では、底面４がフラットな状態となることから、容器本体１を直立させて、冷蔵庫などに収納することが可能となる。なお、未使用の状態にあっては、内蓋８のプルタブ８ｂが閉塞しているため、これを引き剥がして使用を開始する。
【００２６】
そして、内容物の残量が少なくなってきた場合には、図２に示すように、下部キャップ５及び下部開口部６を底面４から引き出し、突出させ、下部開口部６から内容物を出すようにする。この状態にあっては、連結部材７が反転するとともに縮小し、筒状体６ａを、底面４から突出するように固定し、筒状体６ａがぐらつかないようになっている。なお、この下部キャップ５の引き出しに際しては、例えば、上部キャップ２をきつく閉めたうえで、容器本体１を圧迫し、内圧により自動的に下部キャップ５を底面４から圧出させることができる。
【００２７】
このような本実施形態に係る流動物容器１０によれば、下部開口部６を埋め込み及び引き出し可能とすることによって、内容物が減少した後であっても、下部開口部６から容易に内容物が出せるとともに、普段にあっては下部開口部６を下部キャップ５とともに底面４内に埋め込むことによって、使用時に邪魔となるのを防止し、直立させた状態であっても安定性を維持することができる。
【００２８】
なお、上述したように、上部開口部３と下部開口部６の形状や大きさを異なるものとし、内容物の残量にかかわらず上下を使用することにより、例えば、上部開口部と下部開口部とで流出される流動物の断面形状を変化させたり、上部を少なめの出し口とし、下部を多めの出し口とするなど、上下の開口部を使い分けることによって多様な流動物の利用形態を実現することができる。
【図面の簡単な説明】
【００２９】
【図１】実施形態に係る流動物容器であって、下部キャップを埋め込んで直立させた状態を示す外観図である。
【図２】実施形態に係る流動物容器において、下部キャップを引き出した状態を示す外観図である。
【図３】実施形態に係る流動物容器において、下部キャップ及び下部開口部の構成を示す外観図である。
【図４】実施形態に係る流動物容器において、下部キャップ及び下部開口部を埋め込んだ状態の構成を示す断面図である。
【図５】実施形態に係る流動物容器の内蓋の構成を示す斜視図である。
【図６】実施形態に係る流動物容器の内蓋基部の流通孔の変更例を示す斜視図である。
【図７】実施形態に係る流動物容器の内蓋基部の流通孔の変更例を示す斜視図である。
【図８】実施形態に係る流動物容器の内蓋基部の流通孔の変更例を示す斜視図である。
【図９】実施形態に係る流動物容器の内蓋基部の変更例を示す斜視図である。
【符号の説明】
【００３０】
１…容器本体
２…上部キャップ
３…上部開口部
４…底面
４ａ…底面開口部
５…下部キャップ
５ａ…内ねじ
６…下部開口部
６ａ…筒状体
６ｂ…ねじ
６ｃ…流通孔
７…連結部材
８…内蓋
８ａ…プルリング
８ｂ…プルタブ
８ｃ…内蓋基部
１０…流動物容器
８０…回転式内蓋
８１…ツマミ
８２…回転部
８２ａ…開口部
８３…基部
８３ａ〜８３ｃ…流通孔
８３ｄ…閉止部
８４…軸
【図１】
2006176142.tif 000003
【図２】
2006176142.tif 000004
【図３】
2006176142.tif 000005
【図４】
2006176142.tif 000006
【図５】
2006176142.tif 000007
【図６】
2006176142.tif 000008
【図７】
2006176142.tif 000009
【図８】
2006176142.tif 000010
【図９】
2006176142.tif 000011